(57)【要約】【課題】画像データを複数に分割して複数本のケーブルを使用して伝送するシステムにおいて、接続の煩雑さを軽減し、利便性を向上させるようにすること。【解決手段】通信装置は、画像データを複数のケーブルに分けて入力するための複数の画像データ入力手段と、複数の画像データの各々に重畳されている位置情報を検出する位置情報検出手段と、検出した位置情報に基づき画像データの経路切り替えを行う画像経路切替制御手段と、経路切り替えを行った画像データを各々画像処理するための画像処理手段と、画像処理後の画像データに位置情報を付加する位置情報付加手段と、複数のケーブルに分けて出力するための複数の画像データ出力手段とを有することを特徴とする。【選択図】図１
2017022545.tif 000002
【特許請求の範囲】
【請求項１】
画像データを複数のケーブルに分けて入力するための複数の画像データ入力手段と、
複数の画像データの各々に重畳されている位置情報を検出する位置情報検出手段と、
検出した位置情報に基づき画像データの経路切り替えを行う画像経路切替制御手段と、
経路切り替えを行った画像データを各々画像処理するための画像処理手段と、
画像処理後の画像データに位置情報を付加する位置情報付加手段と、
複数のケーブルに分けて出力するための複数の画像データ出力手段と
を有することを特徴とする通信装置。
【請求項２】
前記複数の画像データ入力手段は８ＫＲＡＷ画像データを入力するための４本のＳＤＩ入力であり、前記画像経路切替制御手段は前記８ＫＲＡＷ画像データを１６分割した画像データに分けて経路を切り替え、前記画像処理手段は８Ｋ画像に現像する処理を行い、位置情報付加手段は１６分割した位置を示す情報を付加することを特徴とする請求項１に記載の通信装置。
【請求項３】
画像データを縮小するための縮小手段をさらに有することを特徴とする請求項１に記載の通信装置。
【請求項４】
前記複数の画像データ入力手段は８ＫＲＡＷ画像データを入力するための４本のＳＤＩ入力であり、前記画像経路切替制御手段は前記４本で入力された前記８ＫＲＡＷ画像データの経路を切り替え、前記画像処理手段は８Ｋ画像に現像する処理を行い、前記縮小部は８Ｋ画像から４Ｋ画像へ画像データを縮小し、位置情報付加手段は４分割した位置を示す情報を付加することを特徴とする請求項３に記載の通信装置。
【請求項５】
前記画像経路切替制御手段は、前記位置情報検出手段により検出された前記複数の画像データの位置情報が過不足なく取得できたかどうかを判定し、過不足なく取得できたと判定した場合は画像経路切替処理を行い、過不足がある場合には画像切替処理は行わないことを特徴とする請求項１乃至請求項４の何れか一項に記載の通信装置。
【請求項６】
さらに前記入力された８ＫＲＡＷ画像データを記録するためのフレームメモリを有し、
前記画像経路切替制御手段は前記フレームメモリの読み出しアドレスを制御することで画像経路切替を制御することを特徴とする請求項１乃至請求項５の何れか一項に記載の通信装置。
【請求項７】
画像データを複数のケーブルに分けて入力するための複数の画像データ入力手段と、
前記複数の画像データを各々２本の経路に分離するための多重分離手段と、
前記多重分離した画像データの各々に重畳されている位置情報を検出する位置情報検出手段と、
検出した位置情報に基づき画像データの経路切り替えを行う画像経路切替制御手段と、
画像経路切り替え後の画像データにフレーム情報を付加するフレーム情報付加手段と、
複数のケーブルに分けて出力するための複数の画像データ出力手段と
を有することを特徴とする通信装置。
【請求項８】
前記複数の画像データ入力手段は８ＫＲＡＷ画像データを入力するための４本のＳＤＩ入力であり、前記画像経路切替制御手段は多重分離された８ＫＲＡＷ画像データの経路を切り替え、前記フレーム情報付加手段は偶数フレームか奇数フレームかの付加を行うことを特徴とする請求項７に記載の通信装置。
【請求項９】
複数の入力の状態を示すための複数の入力状態表示手段と、
複数の出力の状態を示すための複数の出力状態表示手段と、
前記画像経路切替制御手段での経路切替情報に基づいて前記出力状態表示手段の表示を制御する表示制御手段と
をさらに有することを特徴とする請求項１乃至請求項８の何れか一項に記載の通信装置。
【請求項１０】
カメラ固有のＩＤを検出するためのカメラＩＤ検出手段をさらに有し、
前記画像経路切替手段は前記複数の画像データから検出したカメラＩＤが全て同じかどうかを判定し、全て同じと判定した場合に画像経路切替処理を行い、少なくとも１つ以上が異なるＩＤだと判定した場合は画像経路切替処理は行わないことを特徴とする請求項１乃至請求項９の何れか一項に記載の通信装置。
【発明の詳細な説明】
【技術分野】
【０００１】
本発明は、画像データを伝送することができる通信装置等に関する。
【背景技術】
【０００２】
近年、フルハイビジョンの４倍の解像度を有する４Ｋ２Ｋの高解像度のテレビが普及し始め４Ｋ放送も開始されるようになってきた。さらに、フルハイビジョンの１６倍の解像度を有する８Ｋ４Ｋの超高解像度画像を取り扱うシステムが２０２０年の導入を目指して開発されている。
【０００３】
ビデオカメラにおいて８Ｋ４Ｋの画像を撮影するためには大量の画像データを処理するための高スペックなシステムが要求される。しかしながら、このようなシステムを構成するためにはシステムが複雑化し、それに伴うコストもかかってしまう。そこで、膨大な処理負荷を必要とするリアルタイム現像処理は行わず、ビデオカメラからはセンサーからの画像データ（以後、ＲＡＷデータと呼ぶ）を出力し、ＲＡＷデータを記録するシステムが用いられている。これによりビデオカメラの負荷を軽くすることでシステムを複雑化することなく８Ｋ４Ｋの画像を撮影できるビデオカメラを実現している。
【０００４】
そして制作業界では記録したＲＡＷデータを元に現像処理を後工程で行うことで画像を完成させている。一方、放送業界では、画像を完成させるために時間とコストをかけられないということから、リアルタイムに現像した画像を記録することが望まれている。そこで、ビデオカメラとは別にリアルタイム現像するための現像ＢＯＸなどを介して、ビデオカメラから出力されてＲＡＷデータを現像し記録するシステムが用いられている。
【０００５】
制作業界、放送業界ともに画像の伝送にはＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）で規格化されているＳＤＩ（Ｓｅｒｉａｌ  Ｄｉｇｉｔａｌ  Ｉｎｔｅｒｆａｃｅ）が用いられている。ＳＤＩでは３Ｇｂｐｓまで伝送できる３Ｇ−ＳＤＩが実用化されているが、より高レートの伝送が可能な６Ｇ−ＳＤＩの規格化がなされた。
【０００６】
しかし、大容量の画像データを１本で伝送するには転送レートが足りないため、画像データを複数のデータに分割して複数本のケーブルを使用して同時に伝送することで十分な画像データ転送レートを確保している。こうしたシステムを構成した場合に、ケーブルの接続本数が増えるために接続作業が煩雑になるという問題があった。
【０００７】
そこで、特許文献には、画像データとともに位置情報を取得することで、画像データの経路を変更し所望の表示位置に表示することのできるシステムが開示されている。また、特許文献２には、各経路ごとに異なる色を有するテスト画像を入力し、受信したテスト画像に応じてケーブルの差し替えを促す表示をするシステムが開示されている。
【先行技術文献】
【特許文献】
【０００８】
【特許文献１】特開２０１４−３４３８号公報
【特許文献２】特開２０１３−１３８３４８号公報
【発明の概要】
【発明が解決しようとする課題】
【０００９】
しかしながら、上記従来例では表示装置において所望の表示位置に表示する、または、ユーザに差し替えを促すものであり、入力画像に処理を加えて再度出力する画像データに関しては何も考慮されていない。従って、このような出力画像データに関しては接続の煩雑さが残ってしまうという問題があった。
【００１０】
そこで、本発明は、画像データを複数に分割して複数本のケーブルを使用して伝送するシステムにおいて、接続の煩雑さを軽減し、利便性を向上させるようにすることを目的とする。
【課題を解決するための手段】
【００１１】
上記の目的を達成するために、本発明に係る通信装置の一つは、画像データを複数のケーブルに分けて入力するための複数の画像データ入力手段と、複数の画像データの各々に重畳されている位置情報を検出する位置情報検出手段と、検出した位置情報に基づき画像データの経路切り替えを行う画像経路切替制御手段と、経路切り替えを行った画像データを各々画像処理するための画像処理手段と、画像処理後の画像データに位置情報を付加する位置情報付加手段と、複数のケーブルに分けて出力するための複数の画像データ出力手段とを有することを特徴とする。
【００１２】
上記の目的を解決するために、本発明に係る通信装置の一つは、画像データを複数のケーブルに分けて入力するための複数の画像データ入力手段と、前記複数の画像データを各々２本の経路に分離するための多重分離手段と、前記多重分離した画像データの各々に重畳されている位置情報を検出する位置情報検出手段と、検出した位置情報に基づき画像データの経路切り替えを行う画像経路切替制御手段と、画像経路切り替え後の画像データにフレーム情報を付加するフレーム情報付加手段と、複数のケーブルに分けて出力するための複数の画像データ出力手段とを有することを特徴とする。
【発明の効果】
【００１３】
本発明によれば、画像データを複数に分割して複数本のケーブルを使用して伝送するシステムにおいて、接続の煩雑さを軽減し、利便性を向上させることができる。
【図面の簡単な説明】
【００１４】
【図１】実施形態１における通信装置１００が有する構成要素の一例を説明するためのブロック図である。
【図２】ＲＡＷ画像に重畳される位置情報の一例である。
【図３】８Ｋ現像画像に重畳する位置情報の一例である。
【図４】通信装置１００の入力端子面と出力端子面の一例である。
【図５】実施形態１における通信装置１００の画像経路切替制御を示すフローチャートである。
【図６】実施形態１における通信装置１００の画像経路切替処理を示すフローチャートである。
【図７】実施形態１における通信装置１００の画像経路スルー処理を示すフローチャートである。
【図８】実施形態１における通信装置１００の入力部ＬＥＤ制御を示すフローチャートである。
【図９】実施形態１における通信装置１００の出力部ＬＥＤ制御を示すフローチャートである。
【図１０】実施形態２における通信装置１０００が有する構成要素の一例を説明するためのブロック図である。
【図１１】実施形態２における通信装置１０００の画像経路切替処理を示すフローチャートである。
【図１２】実施形態２における通信装置１０００の画像経路スルー処理を示すフローチャートである。
【図１３】実施形態２における通信装置１０００の出力部ＬＥＤ制御を示すフローチャートである。
【図１４】実施形態３における通信装置１４００が有する構成要素の一例を説明するためのブロック図である。
【図１５】実施形態３における通信装置１４００の画像経路切替処理を示すフローチャートである。
【図１６】実施形態３における通信装置１４００の画像経路スルー処理を示すフローチャートである。
【図１７】実施形態３における通信装置１４００の出力部ＬＥＤ制御を示すフローチャートである。
【図１８】実施形態４における通信装置１８００が有する構成要素の一例を説明するためのブロック図である。
【発明を実施するための形態】
【００１５】
以下、図面を参照して本発明の実施形態を説明する。ただし、本発明の実施形態は以下の実施形態に限定されるものではない。
【００１６】
［実施形態１］
まず、図１を用いて、ＲＡＷ画像から８Ｋの現像を行う通信装置１００が有する構成要素の一例を説明する。
【００１７】
図１において、第１の画像データ入力部１０１、画像データ入力部１０２、画像データ入力部１０３、画像データ入力部１０４は６Ｇ−ＳＤＩのレシーバを備え、ＳＭＰＴＥに準拠したフォーマットで４つに分割された８ＫのＲＡＷデータをそれぞれ受信する。また、ＲＡＷデータが入力されているかどうかの入力検出も行う。８ＫのＲＡＷデータは８１９２×４３２０画素のデータを有し、１つの画素に赤、緑、青のいずれか１つの色データを有するベイヤー配列の画像データである。
【００１８】
画像データ多重分離部１０５〜１０８は、受信したＲＡＷデータを３Ｇ−ＳＤＩで伝送可能なデータ量に分離して２並列のＲＡＷデータに多重分離する。ここでの多重分離は６０フレームで入力されているＲＡＷデータを３０フレームずつのＲＡＷデータに分離する。カメラＩＤ検出部１０９〜１１２はＲＡＷデータに付加されたカメラＩＤを検出する。カメラＩＤはＳＭＰＴＥで規定されているアンシラリーデータとして画像データに付加されている。カメラＩＤはカメラを識別するための固有のＩＤであり、例えば、カメラのシリアルナンバーを利用することができる。
【００１９】
位置情報検出部１１３〜１１４はＲＡＷデータに付加された位置情報を検出する。位置情報はカメラＩＤと同様にＳＭＰＴＥで規定されているアンシラリーデータとして画像データに付加されている。ここで付加している位置情報を図２を用いて説明する。図２は８１９２Ｘ４３２０画素の画像を横２分割、縦２分割の４分割にして、それぞれを１系統のＳＤＩで伝送する場合を示している。この場合には横方向の分割数が２、縦方向の分割数が２であることを示す情報とそのどの位置に属しているかを示す情報を付加する。
【００２０】
位置情報は左上方向を原点とした座標系で位置を示しており、左上部を伝送している画像データに対してはＸ座標は０、Ｙ座標は０が設定される。画像経路切替制御部１１７はフレームバッファ１１８〜１２１およびセレクタ１２２〜１３７を備え、画像データの経路切り替えを制御する。画像切り替えの制御の詳細は後述する。フレームバッファ１１８〜１２１は４つに分割されて受信した８ＫのＲＡＷデータを保持するためのバッファでそれぞれ４０９６×２１６０のＲＡＷデータが保持される。
【００２１】
フレームバッファからＲＡＷデータを読み出す際には、４０９６×２１６０のＲＡＷデータをさらに４分割して４並列で読み出している。４分割の手法は同様に横２分割、縦２分割とする。セレクタ１２２〜１２３はどのＲＡＷデータを出力するかを選択するセレクタである。セレクタ１２２、セレクタ１２６、セレクタ１３０、セレクタ１３４は検出した位置情報をもとにフレームバッファ１１８〜１２１から読み出された左上部のＲＡＷデータのいずれかを出力するかを選択する。
【００２２】
セレクタ１２３、セレクタ１２７、セレクタ１３１、セレクタ１３５は検出した位置情報をもとにフレームバッファ１１８〜１２１から読み出された右上部のＲＡＷデータのいずれかを出力するかを選択する。セレクタ１２４、セレクタ１２８、セレクタ１３２、セレクタ１３６は検出した位置情報をもとにフレームバッファ１１８〜１２１から読み出された左下部のＲＡＷデータのいずれかを出力するかを選択する。
【００２３】
セレクタ１２５、セレクタ１２９、セレクタ１３３、セレクタ１３７は検出した位置情報をもとにフレームバッファ１１８〜１２１から読み出された右下部のＲＡＷデータのいずれかを出力するかを選択する。ここではフレームバッファから読み出したデータをセレクトする説明をしたが、より回路規模を小さくするために検出した位置情報をもとにフレームバッファから読み出すアドレスを変更することで画像経路を切り替えてもよい。現像部１３８〜１５３はＲＡＷデータを現像処理する。
【００２４】
現像処理とはＲＡＷデータの注目画素の色データとその周辺画素の色データから注目画素の赤、緑、青の３色の色データを生成する処理を言う。以後、現像処理されて生成された画像データを現像データと呼ぶ。位置情報重畳部１５４〜１６９は現像データに対して位置情報を付加する。８Ｋの現像データは横４分割、縦４分割の１６分割にして、それぞれを１系統のＳＤＩで伝送する。
【００２５】
表示位置に従って図３に示すような位置情報を付加して伝送し、位置情報はＳＭＰＴＥのアンシラリーデータとして重畳する。第１の画像データ出力部１７０、第２の画像データ出力部１７１、第３の画像データ出力部１７２、第４の画像データ出力部１７３、第５の画像データ出力部１７４、第６の画像データ出力部１７５、第７の画像データ出力部１７６、第８の画像データ出力部１７７、第９の画像データ出力部１７８、第１０の画像データ出力部１７９、第１１の画像データ出力部１８０、第１２の画像データ出力部１８１、第１３の画像データ出力部１８２、第１４の画像データ出力部１８３、第１５の画像データ出力部１８４、第１６の画像データ出力部１８６、はＳＭＰＴＥに準拠したフォーマットで３Ｇ−ＳＤＩとして現像データを出力する。
【００２６】
ＬＥＤ制御部１８６は画像経路切替制御に基づいて入力状況を示すＬＥＤと出力情報を示すＬＥＤの制御を行う。図４は、入力端子面と出力端子面の一例を示した図である。入力端子４００〜４０３はそれぞれ第１の画像データ入力、第２の画像データ入力、第３の画像データ入力、第４の画像データ入力を入力するための端子である。ＬＥＤ４０４から４０７は各入力端子から画像が入力されたかどうかを示すためのＬＥＤである。出力端子４０８〜４１５、出力端子４２４〜４３１は現像データを出力するための端子である。
【００２７】
ＬＥＤ４１６〜４２３、ＬＥＤ４３２から４３９は各出力端子から画像を出力しているかどうかを示すためのＬＥＤである。ＬＥＤの制御の詳細は後述する。
【００２８】
図５は画像経路切替制御部１１７の制御を示すフローチャートである。
【００２９】
まず、Ｓ５００では第１のデータ入力部１０１から入力された画像データに重畳されている位置情報を位置情報検出部１１３にて検出できたかどうかを判定する。位置情報が検出できたと判定した場合はＳ５０１に進み、検出できていないと判定した場合はＳ５１０に進む。
【００３０】
次に、Ｓ５０１では第１のデータ入力部１０１から入力された画像データに重畳されているカメラＩＤをカメラＩＤ検出部１０９にて検出できたかどうかを判定する。カメラＩＤが検出できたと判定した場合はＳ５０２に進み、検出できていないと判定した場合はＳ５１０に進む。次に、Ｓ５０２では第２のデータ入力部１０２から入力された画像データに重畳されている位置情報を位置情報検出部１１４にて検出できたかどうかを判定する。位置情報が検出できたと判定した場合はＳ５０３に進み、検出できていないと判定した場合はＳ５１０に進む。
【００３１】
次に、Ｓ５０３では第２のデータ入力部１０２から入力された画像データに重畳されているカメラＩＤをカメラＩＤ検出部１１０にて検出できたかどうかを判定する。カメラＩＤが検出できたと判定した場合はＳ５０４に進み、検出できていないと判定した場合はＳ５１０に進む。次に、Ｓ５０４では第３のデータ入力部１０３から入力された画像データに重畳されている位置情報を位置情報検出部１１５にて検出できたかどうかを判定する。位置情報が検出できたと判定した場合はＳ５０５に進み、検出できていないと判定した場合はＳ５１０に進む。
【００３２】
次に、Ｓ５０５では第３のデータ入力部１０３から入力された画像データに重畳されているカメラＩＤをカメラＩＤ検出部１１１にて検出できたかどうかを判定する。カメラＩＤが検出できたと判定した場合はＳ５０６に進み、検出できていないと判定した場合はＳ５１０に進む。次に、Ｓ５０６では第４のデータ入力部１０４から入力された画像データに重畳されている位置情報を位置情報検出部１１６にて検出できたかどうかを判定する。位置情報が検出できたと判定した場合はＳ５０７に進み、検出できていないと判定した場合はＳ５１０に進む。
【００３３】
次に、Ｓ５０７では第４のデータ入力部１０４から入力された画像データに重畳されているカメラＩＤをカメラＩＤ検出部１１２にて検出できたかどうかを判定する。カメラＩＤが検出できたと判定した場合はＳ５０８に進み、検出できていないと判定した場合はＳ５１０に進む。次に、Ｓ５０８では検出したカメラＩＤと位置情報の整合が取れているかどうかの判定を行う。位置情報は、縦横の分割数がそれぞれ２であり、座標が（０，０）、（０，１）、（１，０）、（１，１）の４つが検出できており、不足がないことを確認する。
【００３４】
不足がない場合は整合が取れており、不足がある場合は整合が取れていないと判定する。カメラＩＤは第１〜第４の画像データから検出したカメラＩＤがすべて一致しているかどうかを判定する。一致している場合は整合が取れており、不一致の場合は整合が取れていないと判定する。整合が取れていると判定した場合はＳ５０９に進み、整合が取れていないと判定した場合はＳ５１０に進む。次に、Ｓ５０９では画像経路の切り替え処理を行う。画像経路切り替え処理の詳細は後述する。一方、Ｓ５１０では画像経路スルー処理を行う。画像経路スルー処理の詳細は後述する。
【００３５】
図６は画像経路切り替え処理を示すフローチャートである。
【００３６】
まず、Ｓ６００では位置情報検出部１１３で検出した第１の画像データの位置情報が（０，０）であるかどうかを判定する。位置情報が（０，０）である場合はＳ６０１に進み、違う場合はＳ６０３に進む。次に、Ｓ６０１では第１〜第４の画像出力データに第１の画像データ入力部から入力された画像データを出力するようにセレクタ１２２〜１２５を設定する。次に、Ｓ６０２では第１〜第４の画像出力部のＬＥＤ４１６〜４１９に第１の画像データ入力部のＬＥＤ４０４と同じ状態にすることをＬＥＤ制御部１８６に通知する。
【００３７】
一方、Ｓ６０３では位置情報検出部１１４で検出した第２の画像データの位置情報が（０，０）であるかどうかを判定する。位置情報が（０，０）である場合はＳ６０４に進み、違う場合はＳ６０６に進む。次に、Ｓ６０４では第１〜第４の画像出力データに第２の画像データ入力部から入力された画像データを出力するようにセレクタ１２２〜１２５を設定する。次に、Ｓ６０５では第１〜第４の画像出力部のＬＥＤ４１６〜４１９に第２の画像データ入力部のＬＥＤ４０５と同じ状態にすることをＬＥＤ制御部１８６に通知する。
【００３８】
一方、Ｓ６０６では位置情報検出部１１５で検出した第３の画像データの位置情報が（０，０）であるかどうかを判定する。位置情報が（０，０）である場合はＳ６０７に進み、違う場合はＳ６０９に進む。次に、Ｓ６０７では第１〜第４の画像出力データに第３の画像データ入力部から入力された画像データを出力するようにセレクタ１２２〜１２５を設定する。次に、Ｓ６０８では第１〜第４の画像出力部のＬＥＤ４１６〜４１９に第３の画像データ入力部のＬＥＤ４０６と同じ状態にすることをＬＥＤ制御部１８６に通知する。
【００３９】
一方、Ｓ６０９では第１〜第４の画像出力データに第４の画像データ入力部から入力された画像データを出力するようにセレクタ１２２〜１２５を設定する。次に、Ｓ６１０では第１〜第４の画像出力部のＬＥＤ４１６〜４１９に第４の画像データ入力部のＬＥＤ４０７と同じ状態にすることをＬＥＤ制御部１８６に通知する。
【００４０】
次に、Ｓ６１１では位置情報検出部１１３で検出した第１の画像データの位置情報が（０，１）であるかどうかを判定する。位置情報が（０，１）である場合はＳ６１２に進み、違う場合はＳ６１４に進む。次に、Ｓ６１２では第５〜第８の画像出力データに第１の画像データ入力部から入力された画像データを出力するようにセレクタ１２６〜１２９を設定する。次に、Ｓ６１３では第５〜第８の画像出力部のＬＥＤ４３２〜４３５に第１の画像データ入力部のＬＥＤ４０４と同じ状態にすることをＬＥＤ制御部１８６に通知する。
【００４１】
一方、Ｓ６１４では位置情報検出部１１４で検出した第２の画像データの位置情報が（０，１）であるかどうかを判定する。位置情報が（０，１）である場合はＳ６１５に進み、違う場合はＳ６１７に進む。次に、Ｓ６１５では第５〜第８の画像出力データに第２の画像データ入力部から入力された画像データを出力するようにセレクタ１２６〜１２９を設定する。次に、Ｓ６１６では第５〜第８の画像出力部のＬＥＤ４３２〜４３５に第２の画像データ入力部のＬＥＤ４０５と同じ状態にすることをＬＥＤ制御部１８６に通知する。
【００４２】
一方、Ｓ６１７では位置情報検出部１１５で検出した第３の画像データの位置情報が（０，１）であるかどうかを判定する。位置情報が（０，１）である場合はＳ６１８に進み、違う場合はＳ６２０に進む。次に、Ｓ６１８では第５〜第８の画像出力データに第３の画像データ入力部から入力された画像データを出力するようにセレクタ１２６〜１２９を設定する。次に、Ｓ６１９では第５〜第８の画像出力部のＬＥＤ４３２〜４３５に第３の画像データ入力部のＬＥＤ４０６と同じ状態にすることをＬＥＤ制御部１８６に通知する。
【００４３】
一方、Ｓ６２０では第５〜第８の画像出力データに第４の画像データ入力部から入力された画像データを出力するようにセレクタ１２６〜１２９を設定する。次に、Ｓ６２１では第５〜第８の画像出力部のＬＥＤ４３２〜４３５に第４の画像データ入力部のＬＥＤ４０７と同じ状態にすることをＬＥＤ制御部１８６に通知する。
【００４４】
次に、Ｓ６２２では位置情報検出部１１３で検出した第１の画像データの位置情報が（１，０）であるかどうかを判定する。位置情報が（１，０）である場合はＳ６２３に進み、違う場合はＳ６２５に進む。次に、Ｓ６２３では第９〜第１２の画像出力データに第１の画像データ入力部から入力された画像データを出力するようにセレクタ１３０〜１３３を設定する。次に、Ｓ６２４では第９〜第１２の画像出力部のＬＥＤ４２０〜４２３に第１の画像データ入力部のＬＥＤ４０４と同じ状態にすることをＬＥＤ制御部１８６に通知する。
【００４５】
一方、Ｓ６２５では位置情報検出部１１４で検出した第２の画像データの位置情報が（１，０）であるかどうかを判定する。位置情報が（１，０）である場合はＳ６２６に進み、違う場合はＳ６２８に進む。次に、Ｓ６２６では第９〜第１２の画像出力データに第２の画像データ入力部から入力された画像データを出力するようにセレクタ１３０〜１３３を設定する。次に、Ｓ６２７では第９〜第１２の画像出力部のＬＥＤ４２０〜４２３に第２の画像データ入力部のＬＥＤ４０５と同じ状態にすることをＬＥＤ制御部１８６に通知する。
【００４６】
一方、Ｓ６２８では位置情報検出部１１５で検出した第３の画像データの位置情報が（１，０）であるかどうかを判定する。位置情報が（１，０）である場合はＳ６２９に進み、違う場合はＳ６３１に進む。次に、Ｓ６２９では第９〜第１２の画像出力データに第３の画像データ入力部から入力された画像データを出力するようにセレクタ１３０〜１３３を設定する。次に、Ｓ６３０では第９〜第１２の画像出力部のＬＥＤ４２０〜４２３に第３の画像データ入力部のＬＥＤ４０６と同じ状態にすることをＬＥＤ制御部１８６に通知する。
【００４７】
一方、Ｓ６３１では第９〜第１２の画像出力データに第４の画像データ入力部から入力された画像データを出力するようにセレクタ１３０〜１３３を設定する。次に、Ｓ６３２では第９〜第１２の画像出力部のＬＥＤ４２０〜４２３に第４の画像データ入力部のＬＥＤ４０７と同じ状態にすることをＬＥＤ制御部１８６に通知する。
【００４８】
次に、Ｓ６３３では位置情報検出部１１３で検出した第１の画像データの位置情報が（１，１）であるかどうかを判定する。位置情報が（１，１）である場合はＳ６３４に進み、違う場合はＳ６３６に進む。次に、Ｓ６３４では第１３〜第１６の画像出力データに第１の画像データ入力部から入力された画像データを出力するようにセレクタ１３４〜１３７を設定する。次に、Ｓ６３５では第１３〜第１６の画像出力部のＬＥＤ４３６〜４３９に第１の画像データ入力部のＬＥＤ４０４と同じ状態にすることをＬＥＤ制御部１８６に通知する。
【００４９】
一方、Ｓ６３６では位置情報検出部１１４で検出した第２の画像データの位置情報が（１，１）であるかどうかを判定する。位置情報が（１，１）である場合はＳ６３７に進み、違う場合はＳ６３９に進む。次に、Ｓ６３７では第１３〜第１６の画像出力データに第２の画像データ入力部から入力された画像データを出力するようにセレクタ１３４〜１３７を設定する。次に、Ｓ６３８では第１３〜第１６の画像出力部のＬＥＤ４３６〜４３９に第２の画像データ入力部のＬＥＤ４０５と同じ状態にすることをＬＥＤ制御部１８６に通知する。
【００５０】
一方、Ｓ６２８では位置情報検出部１１５で検出した第３の画像データの位置情報が（１，１）であるかどうかを判定する。位置情報が（１，１）である場合はＳ６４０に進み、違う場合はＳ６４２に進む。次に、Ｓ６４０では第１３〜第１６の画像出力データに第３の画像データ入力部から入力された画像データを出力するようにセレクタ１３４〜１３７を設定する。次に、Ｓ６４１では第１３〜第１６の画像出力部のＬＥＤ４３６〜４３９に第３の画像データ入力部のＬＥＤ４０６と同じ状態にすることをＬＥＤ制御部１８６に通知する。
【００５１】
一方、Ｓ６４２では第１３〜第１６の画像出力データに第４の画像データ入力部から入力された画像データを出力するようにセレクタ１３４〜１３７を設定する。次に、Ｓ６４３では第１３〜第１６の画像出力部のＬＥＤ４３６〜４３９に第４の画像データ入力部のＬＥＤ４０７と同じ状態にすることをＬＥＤ制御部１８６に通知する。
【００５２】
図７は画像経路スルー処理を示すフローチャートである。
【００５３】
まず、Ｓ７００では第１〜第４の画像出力データに第１の画像データ入力部から入力された画像データを出力するようにセレクタ１２２〜１２５を設定する。次に、Ｓ７０１では第１〜第４の画像出力部のＬＥＤ４１６〜４１９に第１の画像データ入力部のＬＥＤ４０４と同じ状態にすることをＬＥＤ制御部１８６に通知する。次に、Ｓ７０２では第５〜第８の画像出力データに第２の画像データ入力部から入力された画像データを出力するようにセレクタ１２６〜１２９を設定する。
【００５４】
次に、Ｓ７０３では第５〜第８の画像出力部のＬＥＤ４３２〜４３５に第２の画像データ入力部のＬＥＤ４０５と同じ状態にすることをＬＥＤ制御部１８６に通知する。次に、Ｓ７０４では第９〜第１２の画像出力データに第３の画像データ入力部から入力された画像データを出力するようにセレクタ１３０〜１３３を設定する。次に、Ｓ７０５では第９〜第１２の画像出力部のＬＥＤ４２０〜４２３に第３の画像データ入力部のＬＥＤ４０６と同じ状態にすることをＬＥＤ制御部１８６に通知する。
【００５５】
次に、Ｓ７０６では第１３〜第１６の画像出力データに第４の画像データ入力部から入力された画像データを出力するようにセレクタ１３４〜１３７を設定する。次に、Ｓ７０７では第１３〜第１６の画像出力部のＬＥＤ４３６〜４３９に第４の画像データ入力部のＬＥＤ４０７と同じ状態にすることをＬＥＤ制御部１８６に通知する。
【００５６】
図８はＬＥＤ制御部１８６の入力部ＬＥＤ制御を示すフローチャートである。
【００５７】
まず、Ｓ８００では第１の画像データ入力部１０１に画像データが入力されているかどうかを判定する。入力されていると判定した場合はＳ８０１に進み、入力されていないと判定した場合は８０２に進む。次に、Ｓ８０１では第１の画像データ入力部のＬＥＤ４０４を点灯する。一方、Ｓ８０２では第１の画像データ入力部のＬＥＤ４０４を消灯する。
【００５８】
次に、Ｓ８０３では第２の画像データ入力部１０２に画像データが入力されているかどうかを判定する。入力されていると判定した場合はＳ８０４に進み、入力されていないと判定した場合は８０５に進む。次に、Ｓ８０４では第２の画像データ入力部のＬＥＤ４０５を点灯する。一方、Ｓ８０５では第２の画像データ入力部のＬＥＤ４０５を消灯する。
【００５９】
次に、Ｓ８０６では第３の画像データ入力部１０３に画像データが入力されているかどうかを判定する。入力されていると判定した場合はＳ８０７に進み、入力されていないと判定した場合は８０８に進む。次に、Ｓ８０７では第３の画像データ入力部のＬＥＤ４０６を点灯する。一方、Ｓ８０９では第３の画像データ入力部のＬＥＤ４０６を消灯する。
【００６０】
次に、Ｓ８０９では第４の画像データ入力部１０４に画像データが入力されているかどうかを判定する。入力されていると判定した場合はＳ８１０に進み、入力されていないと判定した場合は８１１に進む。次に、Ｓ８１０では第４の画像データ入力部のＬＥＤ４０７を点灯する。一方、Ｓ８１１では第４の画像データ入力部のＬＥＤ４０７を消灯する。ここでは、ＬＥＤ４０４〜４０７はそれぞれ異なる色が点灯するＬＥＤであり、色によりどの画像データが入力されているかを判別することができる。
【００６１】
図９はＬＥＤ制御部１８６の出力ＬＥＤ制御を示すフローチャートである。
【００６２】
まず、Ｓ９００では画像経路切替制御部１１７から第１〜第４の画像出力部のＬＥＤ４１６〜４１９を第１の画像データ入力部のＬＥＤ４０４と同じ状態にするように通知されているかどうか判定する。通知されている場合にはＳ９０１に進み、通知されていない場合にはＳ９０４に進む。次に、Ｓ９０１では第１の画像データ入力部のＬＥＤ４０４が点灯しているかどうかを判定する。点灯していると判定した場合はＳ９０２に進み、点灯していないと判定した場合にはＳ９０３に進む。
【００６３】
次に、Ｓ９０２では第１〜第４の画像データ出力部のＬＥＤ４１６〜４１９を第１の画像データ入力部のＬＥＤ４０４と同じ色に点灯する。一方、Ｓ９０３では第１〜第４の画像データ出力部のＬＥＤ４１６〜４１９を消灯する。一方、Ｓ９０４では画像経路切替制御部１１７から第１〜第４の画像出力部のＬＥＤ４１６〜４１９を第２の画像データ入力部のＬＥＤ４０５と同じ状態にするように通知されているかどうか判定する。通知されている場合にはＳ９０５に進み、通知されていない場合にはＳ９０８に進む。
【００６４】
次に、Ｓ９０５では第２の画像データ入力部のＬＥＤ４０５が点灯しているかどうかを判定する。点灯していると判定した場合はＳ９０６に進み、点灯していないと判定した場合にはＳ９０７に進む。次に、Ｓ９０６では第１〜第４の画像データ出力部のＬＥＤ４１６〜４１９を第２の画像データ入力部のＬＥＤ４０５と同じ色に点灯する。一方、Ｓ９０７では第１〜第４の画像データ出力部のＬＥＤ４１６〜４１９を消灯する。一方、Ｓ９０８では画像経路切替制御部１１７から第１〜第４の画像出力部のＬＥＤ４１６〜４１９を第３の画像データ入力部のＬＥＤ４０６と同じ状態にするように通知されているかどうか判定する。通知されている場合にはＳ９０９に進み、通知されていない場合にはＳ９１２に進む。
【００６５】
次に、Ｓ９０９では第３の画像データ入力部のＬＥＤ４０６が点灯しているかどうかを判定する。点灯していると判定した場合はＳ９１０に進み、点灯していないと判定した場合にはＳ９１１に進む。次に、Ｓ９１０では第１〜第４の画像データ出力部のＬＥＤ４１６〜４１９を第３の画像データ入力部のＬＥＤ４０６と同じ色に点灯する。一方、Ｓ９０７では第１〜第４の画像データ出力部のＬＥＤ４１６〜４１９を消灯する。一方、Ｓ９１２では第４の画像データ入力部のＬＥＤ４０７が点灯しているかどうかを判定する。点灯していると判定した場合はＳ９１３に進み、点灯していないと判定した場合にはＳ９１４に進む。
【００６６】
次に、Ｓ９１３では第１〜第４の画像データ出力部のＬＥＤ４１６〜４１９を第４の画像データ入力部のＬＥＤ４０７と同じ色に点灯する。一方、Ｓ９１４では第１〜第４の画像データ出力部のＬＥＤ４１６〜４１９を消灯する。
【００６７】
次に、Ｓ９１５では画像経路切替制御部１１７から第５〜第８の画像出力部のＬＥＤ４３２〜４３５を第１の画像データ入力部のＬＥＤ４０４と同じ状態にするように通知されているかどうか判定する。通知されている場合にはＳ９１６に進み、通知されていない場合にはＳ９１９に進む。次に、Ｓ９１６では第１の画像データ入力部のＬＥＤ４０４が点灯しているかどうかを判定する。点灯していると判定した場合はＳ９１７に進み、点灯していないと判定した場合にはＳ９１８に進む。
【００６８】
次に、Ｓ９１７では第５〜第８の画像データ出力部のＬＥＤ４３２〜４３５を第１の画像データ入力部のＬＥＤ４０４と同じ色に点灯する。一方、Ｓ９１８では第５〜第８の画像データ出力部のＬＥＤ４３２〜４３５を消灯する。一方、Ｓ９１９では画像経路切替制御部１１７から第５〜第８の画像出力部のＬＥＤ４３２〜４３５を第２の画像データ入力部のＬＥＤ４０５と同じ状態にするように通知されているかどうか判定する。通知されている場合にはＳ９２０に進み、通知されていない場合にはＳ９２３に進む。
【００６９】
次に、Ｓ９２０では第２の画像データ入力部のＬＥＤ４０５が点灯しているかどうかを判定する。点灯していると判定した場合はＳ９２１に進み、点灯していないと判定した場合にはＳ９２２に進む。次に、Ｓ９２１では第５〜第８の画像データ出力部のＬＥＤ４３２〜４３５を第２の画像データ入力部のＬＥＤ４０５と同じ色に点灯する。一方、Ｓ９２２では第５〜第８の画像データ出力部のＬＥＤ４３２〜４３５を消灯する。
【００７０】
一方、Ｓ９２３では画像経路切替制御部１１７から第５〜第８の画像出力部のＬＥＤ４３２〜４３５を第３の画像データ入力部のＬＥＤ４０６と同じ状態にするように通知されているかどうか判定する。通知されている場合にはＳ９２４に進み、通知されていない場合にはＳ９２７に進む。次に、Ｓ９２４では第３の画像データ入力部のＬＥＤ４０６が点灯しているかどうかを判定する。点灯していると判定した場合はＳ９２５に進み、点灯していないと判定した場合にはＳ９２６に進む。
【００７１】
次に、Ｓ９２５では第５〜第８の画像データ出力部のＬＥＤ４３２〜４３５を第３の画像データ入力部のＬＥＤ４０６と同じ色に点灯する。一方、Ｓ９２６では第５〜第８の画像データ出力部のＬＥＤ４３２〜４３５を消灯する。一方、Ｓ９２７では第４の画像データ入力部のＬＥＤ４０７が点灯しているかどうかを判定する。点灯していると判定した場合はＳ９２８に進み、点灯していないと判定した場合にはＳ９２９に進む。
【００７２】
次に、Ｓ９２８では第５〜第８の画像データ出力部のＬＥＤ４３２〜４３５を第４の画像データ入力部のＬＥＤ４０７と同じ色に点灯する。一方、Ｓ９２９では第５〜第８の画像データ出力部のＬＥＤ４３２〜４３５を消灯する。
【００７３】
次に、Ｓ９３０では画像経路切替制御部１１７から第９〜第１２の画像出力部のＬＥＤ４２０〜４２３を第１の画像データ入力部のＬＥＤ４０４と同じ状態にするように通知されているかどうか判定する。通知されている場合にはＳ９３１に進み、通知されていない場合にはＳ９３４に進む。次に、Ｓ９３１では第１の画像データ入力部のＬＥＤ４０４が点灯しているかどうかを判定する。点灯していると判定した場合はＳ９３２に進み、点灯していないと判定した場合にはＳ９３３に進む。
【００７４】
次に、Ｓ９３２では第９〜第１２の画像データ出力部のＬＥＤ４２０〜４２３を第１の画像データ入力部のＬＥＤ４０４と同じ色に点灯する。一方、Ｓ９３３では第８〜第１２の画像データ出力部のＬＥＤ４２０〜４２３を消灯する。一方、Ｓ９３４では画像経路切替制御部１１７から第８〜第１２の画像出力部のＬＥＤ４２０〜４２３を第２の画像データ入力部のＬＥＤ４０５と同じ状態にするように通知されているかどうか判定する。通知されている場合にはＳ９３５に進み、通知されていない場合にはＳ９３８に進む。
【００７５】
次に、Ｓ９３５では第２の画像データ入力部のＬＥＤ４０５が点灯しているかどうかを判定する。点灯していると判定した場合はＳ９３６に進み、点灯していないと判定した場合にはＳ９３７に進む。次に、Ｓ９３６では第９〜第１２の画像データ出力部のＬＥＤ４２０〜４２３を第２の画像データ入力部のＬＥＤ４０５と同じ色に点灯する。一方、Ｓ９３７では第９〜第１２の画像データ出力部のＬＥＤ４２０〜４２３を消灯する。
【００７６】
一方、Ｓ９３８では画像経路切替制御部１１７から第９〜第１２の画像出力部のＬＥＤ４２０〜４２１を第３の画像データ入力部のＬＥＤ４０６と同じ状態にするように通知されているかどうか判定する。通知されている場合にはＳ９３９に進み、通知されていない場合にはＳ９４２に進む。次に、Ｓ９３９では第３の画像データ入力部のＬＥＤ４０６が点灯しているかどうかを判定する。点灯していると判定した場合はＳ９４０に進み、点灯していないと判定した場合にはＳ９４１に進む。
【００７７】
次に、Ｓ９４０では第９〜第１２の画像データ出力部のＬＥＤ４２０〜４２３を第３の画像データ入力部のＬＥＤ４０６と同じ色に点灯する。一方、Ｓ９３７では第９〜第１２の画像データ出力部のＬＥＤ４２０〜４２３を消灯する。一方、Ｓ９４２では第４の画像データ入力部のＬＥＤ４０７が点灯しているかどうかを判定する。点灯していると判定した場合はＳ９４３に進み、点灯していないと判定した場合にはＳ９４４に進む。
【００７８】
次に、Ｓ９４３では第９〜第１２の画像データ出力部のＬＥＤ４２０〜４２３を第４の画像データ入力部のＬＥＤ４０７と同じ色に点灯する。一方、Ｓ９４４では第９〜第１２の画像データ出力部のＬＥＤ４２０〜４２３を消灯する。
【００７９】
次に、Ｓ９４５では画像経路切替制御部１１７から第１３〜第１６の画像出力部のＬＥＤ４３６〜４３９を第１の画像データ入力部のＬＥＤ４０４と同じ状態にするように通知されているかどうか判定する。通知されている場合にはＳ９４６に進み、通知されていない場合にはＳ９４９に進む。次に、Ｓ９４６では第１の画像データ入力部のＬＥＤ４０４が点灯しているかどうかを判定する。点灯していると判定した場合はＳ９４７に進み、点灯していないと判定した場合にはＳ９４８に進む。
【００８０】
次に、Ｓ９４７では第１３〜第１６の画像データ出力部のＬＥＤ４３６〜４３９を第１の画像データ入力部のＬＥＤ４０４と同じ色に点灯する。一方、Ｓ９４８では第１３〜第１６の画像データ出力部のＬＥＤ４３６〜４３９を消灯する。一方、Ｓ９４９では画像経路切替制御部１１７から第１３〜第１６の画像出力部のＬＥＤ４３６〜４３９を第２の画像データ入力部のＬＥＤ４０５と同じ状態にするように通知されているかどうか判定する。通知されている場合にはＳ９５０に進み、通知されていない場合にはＳ９５３に進む。
【００８１】
次に、Ｓ９５０では第２の画像データ入力部のＬＥＤ４０５が点灯しているかどうかを判定する。点灯していると判定した場合はＳ９５１に進み、点灯していないと判定した場合にはＳ９５２に進む。次に、Ｓ９５１では第１３〜第１６の画像データ出力部のＬＥＤ４３６〜４３９を第２の画像データ入力部のＬＥＤ４０５と同じ色に点灯する。一方、Ｓ９５２では第１３〜第１６の画像データ出力部のＬＥＤ４３６〜４３９を消灯する。
【００８２】
一方、Ｓ９５３では画像経路切替制御部１１７から第１３〜第１６の画像出力部のＬＥＤ４３６〜４３９を第３の画像データ入力部のＬＥＤ４０６と同じ状態にするように通知されているかどうか判定する。通知されている場合にはＳ９５４に進み、通知されていない場合にはＳ９５７に進む。次に、Ｓ９５４では第３の画像データ入力部のＬＥＤ４０６が点灯しているかどうかを判定する。点灯していると判定した場合はＳ９５５に進み、点灯していないと判定した場合にはＳ９５６に進む。
【００８３】
次に、Ｓ９５５では第１３〜第１６の画像データ出力部のＬＥＤ４３６〜４３９を第３の画像データ入力部のＬＥＤ４０６と同じ色に点灯する。一方、Ｓ９５６では第１３〜第１６の画像データ出力部のＬＥＤ４３６〜４３９を消灯する。一方、Ｓ９５７では第４の画像データ入力部のＬＥＤ４０７が点灯しているかどうかを判定する。点灯していると判定した場合はＳ９５８に進み、点灯していないと判定した場合にはＳ９５９に進む。次に、Ｓ９５８では第１３〜第１６の画像データ出力部のＬＥＤ４３６〜４３９を第４の画像データ入力部のＬＥＤ４０７と同じ色に点灯する。一方、Ｓ９５９では第１３〜第１６の画像データ出力部のＬＥＤ４３６〜４３９を消灯する。
【００８４】
ここでは、ＬＥＤの色を用いて入力に対応して出力している端子がわかるようにしたがＬＥＤの代わりに７セグメントの数字表示にすることで対応しているところと同じ数字を表記するようにしてもよい。
【００８５】
以上説明したように、実施形態１によれば、４本に分割して入力されたＲＡＷ画像から８Ｋに現像して伝送する装置に置いて、４本の入力に対してどの端子に入力するようにしても出力データに新たに位置情報を付加して並び替えて出力されるので、接続作業が容易となる。また、ＬＥＤの点灯により入力に対応して出力されている端子を容易に判別することが可能となる。
【００８６】
［実施形態２］
次に、図１０を用いて、実施形態２における通信装置１０００が有する構成要素の一例を説明する。通信装置１０００は、ＲＡＷ画像から４Ｋの現像を行うことができる。図１０において、実施形態１と同じ機能を持つブロックは、図１と同じ番号を付与し、その説明は省略する。
【００８７】
図１０において、画像経路切替制御部１００１はフレームバッファ１１８〜１２１およびセレクタ１００２〜１００５を備え、画像データの経路切り替えを制御する。画像切り替えの制御の詳細は後述する。セレクタ１００２〜１００５はどのＲＡＷデータを出力するかを選択するセレクタである。セレクタ１００２〜１００５は検出した位置情報をもとにフレームバッファ１１８〜１２１から読み出されたＲＡＷデータのいずれかを出力するかを選択する。
【００８８】
ここではフレームバッファから読み出したデータをセレクトする説明をしたが、より回路規模を小さくするために検出した位置情報をもとにフレームバッファから読み出すアドレスを変更することで画像経路を切り替えてもよい。縮小部１００６〜１００９は８Ｋ現像データを４Ｋ現像データに縮小するための処理を行う。位置情報重畳部１０１０〜１０１３は現像データに対して位置情報を付加する。４Ｋの現像データは横２分割、縦２分割の４分割にして、それぞれを１系統のＳＤＩで伝送する。
【００８９】
表示位置に従って図２で示した位置と同等の位置情報を付加して伝送し、位置情報はＳＭＰＴＥのアンシラリーデータとして重畳する。ＬＥＤ制御部１０１４は画像経路切替制御に基づいて入力状況を示すＬＥＤと出力情報を示すＬＥＤの制御を行う。ＬＥＤの制御の詳細は後述する。
【００９０】
次に、画像経路切替制御部１００１の動作を図１１、図１２を用いて説明する。制御の流れは実施形態１と同様であり図５に示す流れであるが、実施形態１に対して画像経路切り替え処理および画像経路スルー処理が異なる。
【００９１】
図１１は画像経路切り替え処理を示すフローチャートである。
【００９２】
まず、Ｓ１１００では位置情報検出部１１３で検出した第１の画像データの位置情報が（０，０）であるかどうかを判定する。位置情報が（０，０）である場合はＳ１１０１に進み、違う場合はＳ１１０３に進む。次に、Ｓ１１０１では第１の画像出力データに第１の画像データ入力部から入力された画像データを出力するようにセレクタ１００２を設定する。次に、Ｓ１１０２では第１の画像出力部のＬＥＤ４１６に第１の画像データ入力部のＬＥＤ４０４と同じ状態にすることをＬＥＤ制御部１０１４に通知する。
【００９３】
一方、Ｓ１１０３では位置情報検出部１１４で検出した第２の画像データの位置情報が（０，０）であるかどうかを判定する。位置情報が（０，０）である場合はＳ１１０４に進み、違う場合はＳ１１０６に進む。次に、Ｓ１１０４では第１の画像出力データに第２の画像データ入力部から入力された画像データを出力するようにセレクタ１００２を設定する。次に、Ｓ１１０５では第１の画像出力部のＬＥＤ４１６に第２の画像データ入力部のＬＥＤ４０５と同じ状態にすることをＬＥＤ制御部１０１４に通知する。
【００９４】
一方、Ｓ１１０６では位置情報検出部１１５で検出した第３の画像データの位置情報が（０，０）であるかどうかを判定する。位置情報が（０，０）である場合はＳ１１０７に進み、違う場合はＳ１１０９に進む。次に、Ｓ１１０７では第１の画像出力データに第３の画像データ入力部から入力された画像データを出力するようにセレクタ１００２を設定する。次に、Ｓ１１０８では第１の画像出力部のＬＥＤ４１６に第３の画像データ入力部のＬＥＤ４０６と同じ状態にすることをＬＥＤ制御部１０１４に通知する。
【００９５】
一方、Ｓ１１０９では第１の画像出力データに第４の画像データ入力部から入力された画像データを出力するようにセレクタ１００２を設定する。次に、Ｓ１１１０では第１の画像出力部のＬＥＤ４１６に第４の画像データ入力部のＬＥＤ４０７と同じ状態にすることをＬＥＤ制御部１０１４に通知する。
【００９６】
次に、Ｓ１１１１では位置情報検出部１１３で検出した第１の画像データの位置情報が（０，１）であるかどうかを判定する。位置情報が（０，１）である場合はＳ１１１２に進み、違う場合はＳ１１１４に進む。次に、Ｓ１１１２では第２の画像出力データに第１の画像データ入力部から入力された画像データを出力するようにセレクタ１００３を設定する。次に、Ｓ１１１３では第２の画像出力部のＬＥＤ４１７に第１の画像データ入力部のＬＥＤ４０４と同じ状態にすることをＬＥＤ制御部１０１４に通知する。
【００９７】
一方、Ｓ１１１４では位置情報検出部１１４で検出した第２の画像データの位置情報が（０，１）であるかどうかを判定する。位置情報が（０，１）である場合はＳ１１１５に進み、違う場合はＳ１１１７に進む。次に、Ｓ１１１５では第２の画像出力データに第２の画像データ入力部から入力された画像データを出力するようにセレクタ１００３を設定する。次に、Ｓ１１１６では第２の画像出力部のＬＥＤ４１７に第２の画像データ入力部のＬＥＤ４０５と同じ状態にすることをＬＥＤ制御部１０１４に通知する。
【００９８】
一方、Ｓ１１１７では位置情報検出部１１５で検出した第３の画像データの位置情報が（０，１）であるかどうかを判定する。位置情報が（０，１）である場合はＳ１１１８に進み、違う場合はＳ１１２０に進む。次に、Ｓ１１１８では第２の画像出力データに第３の画像データ入力部から入力された画像データを出力するようにセレクタ１００３を設定する。次に、Ｓ１１１９では第２の画像出力部のＬＥＤ４１７に第３の画像データ入力部のＬＥＤ４０６と同じ状態にすることをＬＥＤ制御部１０１４に通知する。
【００９９】
一方、Ｓ１１２０では第２の画像出力データに第４の画像データ入力部から入力された画像データを出力するようにセレクタ１００３を設定する。次に、Ｓ１１２１では第２の画像出力部のＬＥＤ４１７に第４の画像データ入力部のＬＥＤ４０７と同じ状態にすることをＬＥＤ制御部１０１４に通知する。
【０１００】
次に、Ｓ１１２２では位置情報検出部１１３で検出した第１の画像データの位置情報が（１，０）であるかどうかを判定する。位置情報が（１，０）である場合はＳ１１２３に進み、違う場合はＳ１１２５に進む。次に、Ｓ１１２３では第３の画像出力データに第１の画像データ入力部から入力された画像データを出力するようにセレクタ１００４を設定する。次に、Ｓ１１２４では第３の画像出力部のＬＥＤ４１８に第１の画像データ入力部のＬＥＤ４０４と同じ状態にすることをＬＥＤ制御部１０１４に通知する。
【０１０１】
一方、Ｓ１１２５では位置情報検出部１１４で検出した第２の画像データの位置情報が（１，０）であるかどうかを判定する。位置情報が（１，０）である場合はＳ１１２６に進み、違う場合はＳ１１２８に進む。次に、Ｓ１１２６では第３の画像出力データに第２の画像データ入力部から入力された画像データを出力するようにセレクタ１００４を設定する。次に、Ｓ１１２７では第３の画像出力部のＬＥＤ４１９に第２の画像データ入力部のＬＥＤ４０５と同じ状態にすることをＬＥＤ制御部１０１４に通知する。
【０１０２】
一方、Ｓ１１２８では位置情報検出部１１５で検出した第３の画像データの位置情報が（１，０）であるかどうかを判定する。位置情報が（１，０）である場合はＳ１１２９に進み、違う場合はＳ１１３１に進む。次に、Ｓ１１２９では第３の画像出力データに第３の画像データ入力部から入力された画像データを出力するようにセレクタ１００４を設定する。次に、Ｓ１１３０では第３の画像出力部のＬＥＤ４１８に第３の画像データ入力部のＬＥＤ４０６と同じ状態にすることをＬＥＤ制御部１０１４に通知する。
【０１０３】
一方、Ｓ１１３１では第３の画像出力データに第４の画像データ入力部から入力された画像データを出力するようにセレクタ１００４を設定する。次に、Ｓ１１３２では第３の画像出力部のＬＥＤ４１８に第４の画像データ入力部のＬＥＤ４０７と同じ状態にすることをＬＥＤ制御部１０１４に通知する。
【０１０４】
次に、Ｓ１１３３では位置情報検出部１１３で検出した第１の画像データの位置情報が（１，１）であるかどうかを判定する。位置情報が（１，１）である場合はＳ１１３４に進み、違う場合はＳ１１３６に進む。次に、Ｓ１１３４では第４の画像出力データに第１の画像データ入力部から入力された画像データを出力するようにセレクタ１００５を設定する。次に、Ｓ１１３５では第４の画像出力部のＬＥＤ４１９に第１の画像データ入力部のＬＥＤ４０４と同じ状態にすることをＬＥＤ制御部１０１４に通知する。
【０１０５】
一方、Ｓ１１３６では位置情報検出部１１４で検出した第２の画像データの位置情報が（１，１）であるかどうかを判定する。位置情報が（１，１）である場合はＳ１１３７に進み、違う場合はＳ１１３９に進む。次に、Ｓ１１３７では第４の画像出力データに第２の画像データ入力部から入力された画像データを出力するようにセレクタ１００５を設定する。次に、Ｓ１１３８では第４の画像出力部のＬＥＤ４１９に第２の画像データ入力部のＬＥＤ４０５と同じ状態にすることをＬＥＤ制御部１０１４に通知する。
【０１０６】
一方、Ｓ１１２８では位置情報検出部１１５で検出した第３の画像データの位置情報が（１，１）であるかどうかを判定する。位置情報が（１，１）である場合はＳ１１４０に進み、違う場合はＳ１１４２に進む。次に、Ｓ１１４０では第４の画像出力データに第３の画像データ入力部から入力された画像データを出力するようにセレクタ１００５を設定する。次に、Ｓ１１４１では第４の画像出力部のＬＥＤ４１９に第３の画像データ入力部のＬＥＤ４０６と同じ状態にすることをＬＥＤ制御部１０１４に通知する。
【０１０７】
一方、Ｓ１１４２では第４の画像出力データに第４の画像データ入力部から入力された画像データを出力するようにセレクタ１００５を設定する。次に、Ｓ１１４３では第４の画像出力部のＬＥＤ４１９に第４の画像データ入力部のＬＥＤ４０７と同じ状態にすることをＬＥＤ制御部１０１４に通知する。
【０１０８】
図１２は画像経路スルー処理を示すフローチャートである。
【０１０９】
まず、Ｓ１２００では第１の画像出力データに第１の画像データ入力部から入力された画像データを出力するようにセレクタ１００２を設定する。次に、Ｓ１２０１では第１の画像出力部のＬＥＤ４１６に第１の画像データ入力部のＬＥＤ４０４と同じ状態にすることをＬＥＤ制御部１０１４に通知する。次に、Ｓ１４０２では第２の画像出力データに第２の画像データ入力部から入力された画像データを出力するようにセレクタ１００３を設定する。
【０１１０】
次に、Ｓ１２０３では第２の画像出力部のＬＥＤ４１７に第２の画像データ入力部のＬＥＤ４０５と同じ状態にすることをＬＥＤ制御部１０１４に通知する。次に、Ｓ１２０４では第３の画像出力データに第３の画像データ入力部から入力された画像データを出力するようにセレクタ１００４を設定する。次に、Ｓ１２０５では第３の画像出力部のＬＥＤ４１８に第３の画像データ入力部のＬＥＤ４０６と同じ状態にすることをＬＥＤ制御部１０１４に通知する。次に、Ｓ１２０６では第４の画像出力データに第４の画像データ入力部から入力された画像データを出力するようにセレクタ１００５を設定する。
【０１１１】
次に、Ｓ１２０７では第４の画像出力部のＬＥＤ４１９に第４の画像データ入力部のＬＥＤ４０７と同じ状態にすることをＬＥＤ制御部１０１４に通知する。
【０１１２】
次に、図９を用いてＬＥＤ制御部１０１４の制御を説明する。入力部ＬＥＤ制御は実施形態１と同様なので説明は割愛する。図９はＬＥＤ制御部１０１４の出力ＬＥＤ制御を示すフローチャートである。まず、Ｓ１３００では画像経路切替制御部１００１から第１の画像出力部のＬＥＤ４１６を第１の画像データ入力部のＬＥＤ４０４と同じ状態にするように通知されているかどうか判定する。通知されている場合にはＳ１３０１に進み、通知されていない場合にはＳ１３０４に進む。
【０１１３】
次に、Ｓ１３０１では第１の画像データ入力部のＬＥＤ４０４が点灯しているかどうかを判定する。点灯していると判定した場合はＳ１３０２に進み、点灯していないと判定した場合にはＳ１３０３に進む。次に、Ｓ１３０２では第１の画像データ出力部のＬＥＤ４１６を第１の画像データ入力部のＬＥＤ４０４と同じ色に点灯する。一方、Ｓ１３０３では第１の画像データ出力部のＬＥＤ４１６を消灯する。
【０１１４】
一方、Ｓ１３０４では画像経路切替制御部１００１から第１の画像出力部のＬＥＤ４１６を第２の画像データ入力部のＬＥＤ４０５と同じ状態にするように通知されているかどうか判定する。通知されている場合にはＳ１３０５に進み、通知されていない場合にはＳ１３０８に進む。次に、Ｓ１３０５では第２の画像データ入力部のＬＥＤ４０５が点灯しているかどうかを判定する。点灯していると判定した場合はＳ１３０６に進み、点灯していないと判定した場合にはＳ１３０７に進む。
【０１１５】
次に、Ｓ１３０６では第１の画像データ出力部のＬＥＤ４１６を第２の画像データ入力部のＬＥＤ４０５と同じ色に点灯する。一方、Ｓ１３０７では第１の画像データ出力部のＬＥＤ４１６を消灯する。一方、Ｓ１３０８では画像経路切替制御部１００１から第１の画像出力部のＬＥＤ４１６を第３の画像データ入力部のＬＥＤ４０６と同じ状態にするように通知されているかどうか判定する。通知されている場合にはＳ１３０９に進み、通知されていない場合にはＳ１３１２に進む。
【０１１６】
次に、Ｓ１３０９では第３の画像データ入力部のＬＥＤ４０６が点灯しているかどうかを判定する。点灯していると判定した場合はＳ１３１０に進み、点灯していないと判定した場合にはＳ１３１１に進む。次に、Ｓ１３１０では第１の画像データ出力部のＬＥＤ４１６を第３の画像データ入力部のＬＥＤ４０６と同じ色に点灯する。一方、Ｓ１３０７では第１の画像データ出力部のＬＥＤ４１６を消灯する。一方、Ｓ１３１２では第４の画像データ入力部のＬＥＤ４０７が点灯しているかどうかを判定する。
【０１１７】
点灯していると判定した場合はＳ１３１３に進み、点灯していないと判定した場合にはＳ１３１４に進む。次に、Ｓ１３１３では第１の画像データ出力部のＬＥＤ４１６を第４の画像データ入力部のＬＥＤ４０７と同じ色に点灯する。一方、Ｓ１３１４では第１の画像データ出力部のＬＥＤ４１６を消灯する。
【０１１８】
次に、Ｓ１３１５では画像経路切替制御部１００１から第２の画像出力部のＬＥＤ４１７を第１の画像データ入力部のＬＥＤ４０４と同じ状態にするように通知されているかどうか判定する。通知されている場合にはＳ１３１６に進み、通知されていない場合にはＳ１３１９に進む。次に、Ｓ１３１６では第１の画像データ入力部のＬＥＤ４０４が点灯しているかどうかを判定する。点灯していると判定した場合はＳ１３１７に進み、点灯していないと判定した場合にはＳ１３１８に進む。
【０１１９】
次に、Ｓ１３１７では第２の画像データ出力部のＬＥＤ４１７を第１の画像データ入力部のＬＥＤ４０４と同じ色に点灯する。一方、Ｓ１３１８では第２の画像データ出力部のＬＥＤ４１７を消灯する。一方、Ｓ１３１９では画像経路切替制御部１００１から第２の画像出力部のＬＥＤ４１７を第２の画像データ入力部のＬＥＤ４０５と同じ状態にするように通知されているかどうか判定する。通知されている場合にはＳ１３２０に進み、通知されていない場合にはＳ１３２３に進む。
【０１２０】
次に、Ｓ１３２０では第２の画像データ入力部のＬＥＤ４０５が点灯しているかどうかを判定する。点灯していると判定した場合はＳ１３２１に進み、点灯していないと判定した場合にはＳ１３２２に進む。次に、Ｓ１３２１では第２の画像データ出力部のＬＥＤ４１７を第２の画像データ入力部のＬＥＤ４０５と同じ色に点灯する。一方、Ｓ１３２２では第２の画像データ出力部のＬＥＤ４１７を消灯する。一方、Ｓ１３２３では画像経路切替制御部１００１から第２の画像出力部のＬＥＤ４１７を第３の画像データ入力部のＬＥＤ４０６と同じ状態にするように通知されているかどうか判定する。
【０１２１】
通知されている場合にはＳ１３２４に進み、通知されていない場合にはＳ１３２７に進む。次に、Ｓ１３２４では第３の画像データ入力部のＬＥＤ４０６が点灯しているかどうかを判定する。点灯していると判定した場合はＳ１３２５に進み、点灯していないと判定した場合にはＳ１３２６に進む。次に、Ｓ１３２５では第２の画像データ出力部のＬＥＤ４１７を第３の画像データ入力部のＬＥＤ４０６と同じ色に点灯する。一方、Ｓ１３２６では第２の画像データ出力部のＬＥＤ４１７を消灯する。
【０１２２】
一方、Ｓ１３２７では第４の画像データ入力部のＬＥＤ４０７が点灯しているかどうかを判定する。点灯していると判定した場合はＳ１３２８に進み、点灯していないと判定した場合にはＳ１３２９に進む。次に、Ｓ１３２８では第２の画像データ出力部のＬＥＤ４１７を第４の画像データ入力部のＬＥＤ４０７と同じ色に点灯する。一方、Ｓ１３２９では第２の画像データ出力部のＬＥＤ４１７を消灯する。
【０１２３】
次に、Ｓ１３３０では画像経路切替制御部１００１から第３の画像出力部のＬＥＤ４１８を第１の画像データ入力部のＬＥＤ４０４と同じ状態にするように通知されているかどうか判定する。通知されている場合にはＳ１３３１に進み、通知されていない場合にはＳ１３３４に進む。次に、Ｓ１３３１では第１の画像データ入力部のＬＥＤ４０４が点灯しているかどうかを判定する。点灯していると判定した場合はＳ１３３２に進み、点灯していないと判定した場合にはＳ１３３３に進む。
【０１２４】
次に、Ｓ１３３２では第３の画像データ出力部のＬＥＤ４１８を第１の画像データ入力部のＬＥＤ４０４と同じ色に点灯する。一方、Ｓ１３３３では第３の画像データ出力部のＬＥＤ４１８を消灯する。一方、Ｓ１３３４では画像経路切替制御部１００１から第３の画像出力部のＬＥＤ４１８を第２の画像データ入力部のＬＥＤ４０５と同じ状態にするように通知されているかどうか判定する。通知されている場合にはＳ１３３５に進み、通知されていない場合にはＳ１３３８に進む。
【０１２５】
次に、Ｓ１３３５では第２の画像データ入力部のＬＥＤ４０５が点灯しているかどうかを判定する。点灯していると判定した場合はＳ１３３６に進み、点灯していないと判定した場合にはＳ１３３７に進む。次に、Ｓ１３３６では第３の画像データ出力部のＬＥＤ４１８を第２の画像データ入力部のＬＥＤ４０５と同じ色に点灯する。一方、Ｓ１３３７では第３の画像データ出力部のＬＥＤ４１８を消灯する。
【０１２６】
一方、Ｓ１３３８では画像経路切替制御部１００１から第３の画像出力部のＬＥＤ４１８を第３の画像データ入力部のＬＥＤ４０６と同じ状態にするように通知されているかどうか判定する。通知されている場合にはＳ１３３９に進み、通知されていない場合にはＳ１３４２に進む。次に、Ｓ１３３９では第３の画像データ入力部のＬＥＤ４０６が点灯しているかどうかを判定する。点灯していると判定した場合はＳ１３４０に進み、点灯していないと判定した場合にはＳ１３４１に進む。
【０１２７】
次に、Ｓ１３４０では第３の画像データ出力部のＬＥＤ４１８を第３の画像データ入力部のＬＥＤ４０６と同じ色に点灯する。一方、Ｓ１３３７では第３の画像データ出力部のＬＥＤ４１８を消灯する。一方、Ｓ１３４２では第４の画像データ入力部のＬＥＤ４０７が点灯しているかどうかを判定する。点灯していると判定した場合はＳ１３４３に進み、点灯していないと判定した場合にはＳ１３４４に進む。次に、Ｓ１３４３では第３の画像データ出力部のＬＥＤ４１８を第４の画像データ入力部のＬＥＤ４０７と同じ色に点灯する。一方、Ｓ１３４４では第３の画像データ出力部のＬＥＤ４１８を消灯する。
【０１２８】
次に、Ｓ１３４５では画像経路切替制御部１００１から第４の画像出力部のＬＥＤ４１９を第１の画像データ入力部のＬＥＤ４０４と同じ状態にするように通知されているかどうか判定する。通知されている場合にはＳ１３４６に進み、通知されていない場合にはＳ１３４９に進む。次に、Ｓ１３４６では第１の画像データ入力部のＬＥＤ４０４が点灯しているかどうかを判定する。点灯していると判定した場合はＳ１３４７に進み、点灯していないと判定した場合にはＳ１３４８に進む。
【０１２９】
次に、Ｓ１３４７では第４の画像データ出力部のＬＥＤ４１９を第１の画像データ入力部のＬＥＤ４０４と同じ色に点灯する。一方、Ｓ１３４８では第４の画像データ出力部のＬＥＤ４１９を消灯する。一方、Ｓ１３４９では画像経路切替制御部１００１から第４の画像出力部のＬＥＤ４１９を第２の画像データ入力部のＬＥＤ４０５と同じ状態にするように通知されているかどうか判定する。通知されている場合にはＳ１３５０に進み、通知されていない場合にはＳ１３５３に進む。
【０１３０】
次に、Ｓ１３５０では第２の画像データ入力部のＬＥＤ４０５が点灯しているかどうかを判定する。点灯していると判定した場合はＳ１３５１に進み、点灯していないと判定した場合にはＳ１３５２に進む。次に、Ｓ１３５１では第４の画像データ出力部のＬＥＤ４１９を第２の画像データ入力部のＬＥＤ４０５と同じ色に点灯する。一方、Ｓ１３５２では第４の画像データ出力部のＬＥＤ４１９を消灯する。
【０１３１】
一方、Ｓ１３５３では画像経路切替制御部１００１から第４の画像出力部のＬＥＤ４１９を第３の画像データ入力部のＬＥＤ４０６と同じ状態にするように通知されているかどうか判定する。通知されている場合にはＳ１３５４に進み、通知されていない場合にはＳ１３５７に進む。次に、Ｓ１３５４では第３の画像データ入力部のＬＥＤ４０６が点灯しているかどうかを判定する。点灯していると判定した場合はＳ１３５５に進み、点灯していないと判定した場合にはＳ１３５６に進む。
【０１３２】
次に、Ｓ１３５５では第４の画像データ出力部のＬＥＤ４１９を第３の画像データ入力部のＬＥＤ４０６と同じ色に点灯する。一方、Ｓ１３５６では第４の画像データ出力部のＬＥＤ４１９を消灯する。一方、Ｓ１３５７では第４の画像データ入力部のＬＥＤ４０７が点灯しているかどうかを判定する。点灯していると判定した場合はＳ１３５８に進み、点灯していないと判定した場合にはＳ１３５９に進む。次に、Ｓ１３５８では第４の画像データ出力部のＬＥＤ４１９を第４の画像データ入力部のＬＥＤ４０７と同じ色に点灯する。一方、Ｓ１３５９では第４の画像データ出力部のＬＥＤ４１９を消灯する。
【０１３３】
ここでは、ＬＥＤの色を用いて入力に対応して出力している端子がわかるようにしたがＬＥＤの代わりに７セグメントの数字表示にすることで対応しているところと同じ数字を表記するようにしてもよい。
【０１３４】
以上説明したように、実施形態２によれば、４本に分割して入力されたＲＡＷ画像から４Ｋに現像して伝送する装置に置いて、４本の入力に対してどの端子に入力するようにしても出力データに新たに位置情報を付加して並び替えて出力されるので、接続作業が容易となる。また、ＬＥＤの点灯により入力に対応して出力されている端子を容易に判別することが可能となる。
【０１３５】
［実施形態３］
次に、図１４を用いて、実施形態３における通信装置１４００が有する構成要素の一例を説明する。通信装置１４００は、６Ｇ−ＳＤＩで入力されたＲＡＷ画像を３Ｇ−ＳＤＩ２本に分離して伝送を行うことができる。図１４において、実施形態１と同じ機能を持つブロックは、図１と同じ番号を付し、その説明を省略する。
【０１３６】
図１４において、画像経路切替制御部１４０１はセレクタ１４０２〜１４０９を備え、画像データの経路切り替えを制御する。画像切り替えの制御の詳細は後述する。セレクタ１４０２〜１４０９はどのＲＡＷデータを出力するかを選択するセレクタである。セレクタ１４０２〜１４０９は検出した位置情報をもとにＲＡＷデータのいずれかを出力するかを選択する。フレーム情報重畳部１４１０〜１４１７は２本に分離されたＲＡＷデータに対して偶数フレームなのか奇数フレームなのかの情報を付加する。フレーム情報はＳＭＰＴＥのアンシラリーデータとして重畳する。ＬＥＤ制御部１４１８は画像経路切替制御に基づいて入力状況を示すＬＥＤと出力情報を示すＬＥＤの制御を行う。ＬＥＤの制御の詳細は後述する。
【０１３７】
次に、画像経路切替制御部１４０１の動作を図１５、図１６を用いて説明する。制御の流れは実施形態１と同様であり図５に示す流れであるが、実施形態１に対して画像経路切り替え処理および画像経路スルー処理が異なる。
【０１３８】
図１５は画像経路切り替え処理を示すフローチャートである。
【０１３９】
まず、Ｓ１５００では位置情報検出部１１３で検出した第１の画像データの位置情報が（０，０）であるかどうかを判定する。位置情報が（０，０）である場合はＳ１５０１に進み、違う場合はＳ１５０３に進む。次に、Ｓ１５０１では第１と第２の画像出力データに第１の画像データ入力部から入力された画像データを出力するようにセレクタ１４０２とセレクタ１４０３を設定する。次に、Ｓ１５０２では第１と第２の画像出力部のＬＥＤ４１６〜４１７に第１の画像データ入力部のＬＥＤ４０４と同じ状態にすることをＬＥＤ制御部１４１８に通知する。
【０１４０】
一方、Ｓ１５０３では位置情報検出部１１４で検出した第２の画像データの位置情報が（０，０）であるかどうかを判定する。位置情報が（０，０）である場合はＳ１５０４に進み、違う場合はＳ１５０６に進む。次に、Ｓ１５０４では第１と第２の画像出力データに第２の画像データ入力部から入力された画像データを出力するようにセレクタ１４０２とセレクタ１４０３を設定する。次に、Ｓ１５０５では第１と第２の画像出力部のＬＥＤ４１６〜４１７に第２の画像データ入力部のＬＥＤ４０５と同じ状態にすることをＬＥＤ制御部１４１８に通知する。
【０１４１】
一方、Ｓ１５０６では位置情報検出部１１５で検出した第３の画像データの位置情報が（０，０）であるかどうかを判定する。位置情報が（０，０）である場合はＳ１５０７に進み、違う場合はＳ１５０９に進む。次に、Ｓ１５０７では第１と第２の画像出力データに第３の画像データ入力部から入力された画像データを出力するようにセレクタ１４０２とセレクタ１４０３を設定する。次に、Ｓ１５０８では第１と第２の画像出力部のＬＥＤ４１６〜４１７に第３の画像データ入力部のＬＥＤ４０６と同じ状態にすることをＬＥＤ制御部１４１８に通知する。
【０１４２】
一方、Ｓ１５０９では第１と第２の画像出力データに第４の画像データ入力部から入力された画像データを出力するようにセレクタ１４０２とセレクタ１４０３を設定する。次に、Ｓ１５１０では第１と第２の画像出力部のＬＥＤ４１６〜４１７に第４の画像データ入力部のＬＥＤ４０７と同じ状態にすることをＬＥＤ制御部１４１８に通知する。
【０１４３】
次に、Ｓ１５１１では位置情報検出部１１３で検出した第１の画像データの位置情報が（０，１）であるかどうかを判定する。位置情報が（０，１）である場合はＳ１５１２に進み、違う場合はＳ１５１４に進む。次に、Ｓ１５１２では第３と第４の画像出力データに第１の画像データ入力部から入力された画像データを出力するようにセレクタ１４０４とセレクタ１４０５を設定する。次に、Ｓ１５１３では第３と第４の画像出力部のＬＥＤ４１８〜４１９に第１の画像データ入力部のＬＥＤ４０４と同じ状態にすることをＬＥＤ制御部１４１８に通知する。
【０１４４】
一方、Ｓ１５１４では位置情報検出部１１４で検出した第２の画像データの位置情報が（０，１）であるかどうかを判定する。位置情報が（０，１）である場合はＳ１５１５に進み、違う場合はＳ１５１７に進む。次に、Ｓ１５１５では第３と第４の画像出力データに第２の画像データ入力部から入力された画像データを出力するようにセレクタ１４０４とセレクタ１４０５を設定する。次に、Ｓ１５１６では第３と第４の画像出力部のＬＥＤ４１８〜４１９に第２の画像データ入力部のＬＥＤ４０５と同じ状態にすることをＬＥＤ制御部１４１８に通知する。
【０１４５】
一方、Ｓ１５１７では位置情報検出部１１５で検出した第３の画像データの位置情報が（０，１）であるかどうかを判定する。位置情報が（０，１）である場合はＳ１５１８に進み、違う場合はＳ１５２０に進む。次に、Ｓ１５１８では第３と第４の画像出力データに第３の画像データ入力部から入力された画像データを出力するようにセレクタ１４０４とセレクタ１４０５を設定する。次に、Ｓ１５１９では第３と第４の画像出力部のＬＥＤ４１８〜４１９に第３の画像データ入力部のＬＥＤ４０６と同じ状態にすることをＬＥＤ制御部１４１８に通知する。
【０１４６】
一方、Ｓ１５２０では第３と第４の画像出力データに第４の画像データ入力部から入力された画像データを出力するようにセレクタ１４０４とセレクタ１４０５を設定する。次に、Ｓ１５２１では第３と第４の画像出力部のＬＥＤ４１８〜４１９に第４の画像データ入力部のＬＥＤ４０７と同じ状態にすることをＬＥＤ制御部１４１８に通知する。
【０１４７】
次に、Ｓ１５２２では位置情報検出部１１３で検出した第１の画像データの位置情報が（１，０）であるかどうかを判定する。位置情報が（１，０）である場合はＳ１５２３に進み、違う場合はＳ１５２５に進む。次に、Ｓ１５２３では第５と第６の画像出力データに第１の画像データ入力部から入力された画像データを出力するようにセレクタ１４０６とセレクタ１４０７を設定する。次に、Ｓ１５２４では第５と第６の画像出力部のＬＥＤ４３２〜４３３に第１の画像データ入力部のＬＥＤ４０４と同じ状態にすることをＬＥＤ制御部１４１８に通知する。
【０１４８】
一方、Ｓ１５２５では位置情報検出部１１４で検出した第２の画像データの位置情報が（１，０）であるかどうかを判定する。位置情報が（１，０）である場合はＳ１５２６に進み、違う場合はＳ１５２８に進む。次に、Ｓ１５２６では第５と第６の画像出力データに第２の画像データ入力部から入力された画像データを出力するようにセレクタ１４０６とセレクタ１４０７を設定する。次に、Ｓ１５２７では第５と第６の画像出力部のＬＥＤ４３２〜４３３に第２の画像データ入力部のＬＥＤ４０５と同じ状態にすることをＬＥＤ制御部１４１８に通知する。
【０１４９】
一方、Ｓ１５２８では位置情報検出部１１５で検出した第３の画像データの位置情報が（１，０）であるかどうかを判定する。位置情報が（１，０）である場合はＳ１５２９に進み、違う場合はＳ１５３１に進む。次に、Ｓ１５２９では第５と第６の画像出力データに第３の画像データ入力部から入力された画像データを出力するようにセレクタ１４０６とセレクタ１４０７を設定する。次に、Ｓ１５３０では第５と第６の画像出力部のＬＥＤ４３２〜４３３に第３の画像データ入力部のＬＥＤ４０６と同じ状態にすることをＬＥＤ制御部１４１８に通知する。
【０１５０】
一方、Ｓ１５３１では第５第６の画像出力データに第４の画像データ入力部から入力された画像データを出力するようにセレクタ１４０６とセレクタ１４０７を設定する。次に、Ｓ１５３２では第５と第６の画像出力部のＬＥＤ４３２〜４３３に第４の画像データ入力部のＬＥＤ４０７と同じ状態にすることをＬＥＤ制御部１４１８に通知する。
【０１５１】
次に、Ｓ１５３３では位置情報検出部１１３で検出した第１の画像データの位置情報が（１，１）であるかどうかを判定する。位置情報が（１，１）である場合はＳ１５３４に進み、違う場合はＳ１５３６に進む。次に、Ｓ１５３４では第７と第８の画像出力データに第１の画像データ入力部から入力された画像データを出力するようにセレクタ１４０８とセレクタ１４０９を設定する。次に、Ｓ１５３５では第７と第８の画像出力部のＬＥＤ４３４〜４３５に第１の画像データ入力部のＬＥＤ４０４と同じ状態にすることをＬＥＤ制御部１４１８に通知する。
【０１５２】
一方、Ｓ１５３６では位置情報検出部１１４で検出した第２の画像データの位置情報が（１，１）であるかどうかを判定する。位置情報が（１，１）である場合はＳ１５３７に進み、違う場合はＳ１５３９に進む。次に、Ｓ１５３７では第７と第８の画像出力データに第２の画像データ入力部から入力された画像データを出力するようにセレクタ１４０８とセレクタ１４０９を設定する。
【０１５３】
次に、Ｓ１５３８では第７と第８の画像出力部のＬＥＤ４３４〜４３５に第２の画像データ入力部のＬＥＤ４０５と同じ状態にすることをＬＥＤ制御部１４１８に通知する。一方、Ｓ１５２８では位置情報検出部１１５で検出した第３の画像データの位置情報が（１，１）であるかどうかを判定する。位置情報が（１，１）である場合はＳ１５４０に進み、違う場合はＳ１５４２に進む。次に、Ｓ１５４０では第７と第８の画像出力データに第３の画像データ入力部から入力された画像データを出力するようにセレクタ１４０８とセレクタ１４０９を設定する。
【０１５４】
次に、Ｓ１５４１では第７と第８の画像出力部のＬＥＤ４３４〜４３５に第３の画像データ入力部のＬＥＤ４０６と同じ状態にすることをＬＥＤ制御部１４１８に通知する。一方、Ｓ１５４２では第７と第８の画像出力データに第４の画像データ入力部から入力された画像データを出力するようにセレクタ１４０８とセレクタ１４０９を設定する。次に、Ｓ１５４３では第７と第８の画像出力部のＬＥＤ４３４〜４３５に第４の画像データ入力部のＬＥＤ４０７と同じ状態にすることをＬＥＤ制御部１５１４に通知する。
【０１５５】
図１６は画像経路スルー処理を示すフローチャートである。
【０１５６】
まず、Ｓ１６００では第１と第２の画像出力データに第１の画像データ入力部から入力された画像データを出力するようにセレクタ１４０２とセレクタ１４０３を設定する。次に、Ｓ１６０１では第１と第２の画像出力部のＬＥＤ４１６〜４１７に第１の画像データ入力部のＬＥＤ４０４と同じ状態にすることをＬＥＤ制御部１４１８に通知する。
【０１５７】
次に、Ｓ１６０２では第３と第４の画像出力データに第２の画像データ入力部から入力された画像データを出力するようにセレクタ１４０４とセレクタ１４０５を設定する。次に、Ｓ１６０３では第３と第４の画像出力部のＬＥＤ４１８〜４１９に第２の画像データ入力部のＬＥＤ４０５と同じ状態にすることをＬＥＤ制御部１４１８に通知する。次に、Ｓ１６０４では第５と第６の画像出力データに第３の画像データ入力部から入力された画像データを出力するようにセレクタ１４０６とセレクタ１４０７を設定する。
【０１５８】
次に、Ｓ１６０５では第５と第６の画像出力部のＬＥＤ４３２〜４３３に第３の画像データ入力部のＬＥＤ４０６と同じ状態にすることをＬＥＤ制御部１４１８に通知する。次に、Ｓ１６０６では第７と第８の画像出力データに第４の画像データ入力部から入力された画像データを出力するようにセレクタ１４０８とセレクタ１４０９を設定する。次に、Ｓ１６０７では第７と第８の画像出力部のＬＥＤ４３４〜４３５に第４の画像データ入力部のＬＥＤ４０７と同じ状態にすることをＬＥＤ制御部１４１８に通知する。
【０１５９】
次に、図１７を用いてＬＥＤ制御部１４１８の制御を説明する。入力部ＬＥＤ制御は実施形態１と同様なので説明は割愛する。図１７はＬＥＤ制御部１４１８の出力ＬＥＤ制御を示すフローチャートである。
【０１６０】
まず、Ｓ１７００では画像経路切替制御部１４０１から第１と第２の画像出力部のＬＥＤ４１６〜４１７を第１の画像データ入力部のＬＥＤ４０４と同じ状態にするように通知されているかどうか判定する。通知されている場合にはＳ１７０１に進み、通知されていない場合にはＳ１７０４に進む。
【０１６１】
次に、Ｓ１７０１では第１の画像データ入力部のＬＥＤ４０４が点灯しているかどうかを判定する。点灯していると判定した場合はＳ１７０２に進み、点灯していないと判定した場合にはＳ１７０３に進む。次に、Ｓ１７０２では第１と第２の画像データ出力部のＬＥＤ４１６〜４１７を第１の画像データ入力部のＬＥＤ４０４と同じ色に点灯する。一方、Ｓ１７０３では第１と第２の画像データ出力部のＬＥＤ４１６〜４１７を消灯する。一方、Ｓ１７０４では画像経路切替制御部１４０１から第１と第２の画像出力部のＬＥＤ４１６〜４１７を第２の画像データ入力部のＬＥＤ４０５と同じ状態にするように通知されているかどうか判定する。通知されている場合にはＳ１７０５に進み、通知されていない場合にはＳ１７０８に進む。
【０１６２】
次に、Ｓ１７０５では第２の画像データ入力部のＬＥＤ４０５が点灯しているかどうかを判定する。点灯していると判定した場合はＳ１７０６に進み、点灯していないと判定した場合にはＳ１７０７に進む。次に、Ｓ１７０６では第１と第２の画像データ出力部のＬＥＤ４１６〜４１７を第２の画像データ入力部のＬＥＤ４０５と同じ色に点灯する。一方、Ｓ１７０７では第１と第２の画像データ出力部のＬＥＤ４１６〜４１７を消灯する。一方、Ｓ１７０８では画像経路切替制御部１４０１から第１と第２の画像出力部のＬＥＤ４１６〜４１７を第３の画像データ入力部のＬＥＤ４０６と同じ状態にするように通知されているかどうか判定する。
【０１６３】
通知されている場合にはＳ１７０９に進み、通知されていない場合にはＳ１７１２に進む。次に、Ｓ１７０９では第３の画像データ入力部のＬＥＤ４０６が点灯しているかどうかを判定する。点灯していると判定した場合はＳ１７１０に進み、点灯していないと判定した場合にはＳ１７１１に進む。次に、Ｓ１７１０では第１と第２の画像データ出力部のＬＥＤ４１６〜４１７を第３の画像データ入力部のＬＥＤ４０６と同じ色に点灯する。一方、Ｓ１７０７では第１と第２の画像データ出力部のＬＥＤ４１６〜４１７を消灯する。
【０１６４】
一方、Ｓ１７１２では第４の画像データ入力部のＬＥＤ４０７が点灯しているかどうかを判定する。点灯していると判定した場合はＳ１７１３に進み、点灯していないと判定した場合にはＳ１７１４に進む。次に、Ｓ１７１３では第１と第２の画像データ出力部のＬＥＤ４１６〜４１７を第４の画像データ入力部のＬＥＤ４０７と同じ色に点灯する。一方、Ｓ１７１４では第１と第２の画像データ出力部のＬＥＤ４１６〜４１７を消灯する。
【０１６５】
次に、Ｓ１７１５では画像経路切替制御部１４０１から第３と第４の画像出力部のＬＥＤ４１８〜４１９を第１の画像データ入力部のＬＥＤ４０４と同じ状態にするように通知されているかどうか判定する。通知されている場合にはＳ１７１６に進み、通知されていない場合にはＳ１７１９に進む。次に、Ｓ１７１６では第１の画像データ入力部のＬＥＤ４０４が点灯しているかどうかを判定する。点灯していると判定した場合はＳ１７１７に進み、点灯していないと判定した場合にはＳ１７１８に進む。
【０１６６】
次に、Ｓ１７１７では第３と第４の画像データ出力部のＬＥＤ４１８〜４１９を第１の画像データ入力部のＬＥＤ４０４と同じ色に点灯する。一方、Ｓ１７１８では第３と第４の画像データ出力部のＬＥＤ４１８〜４１９を消灯する。一方、Ｓ１７１９では画像経路切替制御部１４０１から第３と第４の画像出力部のＬＥＤ４１８〜４１９を第２の画像データ入力部のＬＥＤ４０５と同じ状態にするように通知されているかどうか判定する。通知されている場合にはＳ１７２０に進み、通知されていない場合にはＳ１７２３に進む。
【０１６７】
次に、Ｓ１７２０では第２の画像データ入力部のＬＥＤ４０５が点灯しているかどうかを判定する。点灯していると判定した場合はＳ１７２１に進み、点灯していないと判定した場合にはＳ１７２２に進む。次に、Ｓ１７２１では第３と第４の画像データ出力部のＬＥＤ４１８〜４１９を第２の画像データ入力部のＬＥＤ４０５と同じ色に点灯する。一方、Ｓ１７２２では第３と第４の画像データ出力部のＬＥＤ４１８〜４１９を消灯する。一方、Ｓ１７２３では画像経路切替制御部１４０１から第３と第４の画像出力部のＬＥＤ４１８〜４１９を第３の画像データ入力部のＬＥＤ４０６と同じ状態にするように通知されているかどうか判定する。
【０１６８】
通知されている場合にはＳ１７２４に進み、通知されていない場合にはＳ１７２７に進む。次に、Ｓ１７２４では第３の画像データ入力部のＬＥＤ４０６が点灯しているかどうかを判定する。点灯していると判定した場合はＳ１７２５に進み、点灯していないと判定した場合にはＳ１７２６に進む。次に、Ｓ１７２５では第３と第４の画像データ出力部のＬＥＤ４１８〜４１９を第３の画像データ入力部のＬＥＤ４０６と同じ色に点灯する。一方、Ｓ１７２６では第３と第４の画像データ出力部のＬＥＤ４１８〜４１９を消灯する。
【０１６９】
一方、Ｓ１７２７では第４の画像データ入力部のＬＥＤ４０７が点灯しているかどうかを判定する。点灯していると判定した場合はＳ１７２８に進み、点灯していないと判定した場合にはＳ１７２９に進む。次に、Ｓ１７２８では第３と第４の画像データ出力部のＬＥＤ４１８〜４１９を第４の画像データ入力部のＬＥＤ４０７と同じ色に点灯する。一方、Ｓ１７２９では第３と第４の画像データ出力部のＬＥＤ４１８〜４１９を消灯する。
【０１７０】
次に、Ｓ１７３０では画像経路切替制御部１４０１から第５と第６の画像出力部のＬＥＤ４３２〜４３３を第１の画像データ入力部のＬＥＤ４０４と同じ状態にするように通知されているかどうか判定する。通知されている場合にはＳ１７３１に進み、通知されていない場合にはＳ１７３４に進む。次に、Ｓ１７３１では第１の画像データ入力部のＬＥＤ４０４が点灯しているかどうかを判定する。点灯していると判定した場合はＳ１７３２に進み、点灯していないと判定した場合にはＳ１７３３に進む。
【０１７１】
次に、Ｓ１７３２では第５と第６の画像データ出力部のＬＥＤ４３２〜４３３を第１の画像データ入力部のＬＥＤ４０４と同じ色に点灯する。一方、Ｓ１７３３では第５と第６の画像データ出力部のＬＥＤ４３２と４３３を消灯する。一方、Ｓ１７３４では画像経路切替制御部１４０１から第５と第６の画像出力部のＬＥＤ４３２〜４３３を第２の画像データ入力部のＬＥＤ４０５と同じ状態にするように通知されているかどうか判定する。通知されている場合にはＳ１７３５に進み、通知されていない場合にはＳ１７３８に進む。
【０１７２】
次に、Ｓ１７３５では第２の画像データ入力部のＬＥＤ４０５が点灯しているかどうかを判定する。点灯していると判定した場合はＳ１７３６に進み、点灯していないと判定した場合にはＳ１７３７に進む。次に、Ｓ１７３６では第５と第６の画像データ出力部のＬＥＤ４３２〜４３３を第２の画像データ入力部のＬＥＤ４０５と同じ色に点灯する。一方、Ｓ１７３７では第５と第６の画像データ出力部のＬＥＤ４３２〜４３３を消灯する。
【０１７３】
一方、Ｓ１７３８では画像経路切替制御部１４０１から第５と第６の画像出力部のＬＥＤ４３２〜４３３を第３の画像データ入力部のＬＥＤ４０６と同じ状態にするように通知されているかどうか判定する。通知されている場合にはＳ１７３９に進み、通知されていない場合にはＳ１７４２に進む。次に、Ｓ１７３９では第３の画像データ入力部のＬＥＤ４０６が点灯しているかどうかを判定する。点灯していると判定した場合はＳ１７４０に進み、点灯していないと判定した場合にはＳ１７４１に進む。
【０１７４】
次に、Ｓ１７４０では第５と第６の画像データ出力部のＬＥＤ４３２〜４３３を第３の画像データ入力部のＬＥＤ４０６と同じ色に点灯する。一方、Ｓ１７３７では第５と第６の画像データ出力部のＬＥＤ４３２〜４３３を消灯する。一方、Ｓ１７４２では第４の画像データ入力部のＬＥＤ４０７が点灯しているかどうかを判定する。点灯していると判定した場合はＳ１７４３に進み、点灯していないと判定した場合にはＳ１７４４に進む。
【０１７５】
次に、Ｓ１７４３では第５と第６の画像データ出力部のＬＥＤ４３２〜４３３を第４の画像データ入力部のＬＥＤ４０７と同じ色に点灯する。一方、Ｓ１７４４では第５と第６の画像データ出力部のＬＥＤ４３２〜４３３を消灯する。
【０１７６】
次に、Ｓ１７４５では画像経路切替制御部１４０１から第７と第８の画像出力部のＬＥＤ４３４〜４３５を第１の画像データ入力部のＬＥＤ４０４と同じ状態にするように通知されているかどうか判定する。通知されている場合にはＳ１７４６に進み、通知されていない場合にはＳ１７４９に進む。次に、Ｓ１７４６では第１の画像データ入力部のＬＥＤ４０４が点灯しているかどうかを判定する。点灯していると判定した場合はＳ１７４７に進み、点灯していないと判定した場合にはＳ１７４８に進む。
【０１７７】
次に、Ｓ１７４７では第７と第８の画像データ出力部のＬＥＤ４３４〜４３５を第１の画像データ入力部のＬＥＤ４０４と同じ色に点灯する。一方、Ｓ１７４８では第７と第８の画像データ出力部のＬＥＤ４３４〜４３５を消灯する。一方、Ｓ１７４９では画像経路切替制御部１４０１から第７と第８の画像出力部のＬＥＤ４３４〜４３５を第２の画像データ入力部のＬＥＤ４０５と同じ状態にするように通知されているかどうか判定する。通知されている場合にはＳ１７５０に進み、通知されていない場合にはＳ１７５３に進む。
【０１７８】
次に、Ｓ１７５０では第２の画像データ入力部のＬＥＤ４０５が点灯しているかどうかを判定する。点灯していると判定した場合はＳ１７５１に進み、点灯していないと判定した場合にはＳ１７５２に進む。次に、Ｓ１７５１では第７と第８の画像データ出力部のＬＥＤ４３４〜４３５を第２の画像データ入力部のＬＥＤ４０５と同じ色に点灯する。一方、Ｓ１７５２では第７と第８の画像データ出力部のＬＥＤ４３４〜４３５を消灯する。一方、Ｓ１７５３では画像経路切替制御部１４０１から第７と第８の画像出力部のＬＥＤ４３４〜４３５を第３の画像データ入力部のＬＥＤ４０６と同じ状態にするように通知されているかどうか判定する。通知されている場合にはＳ１７５４に進み、通知されていない場合にはＳ１７５７に進む。
【０１７９】
次に、Ｓ１７５４では第３の画像データ入力部のＬＥＤ４０６が点灯しているかどうかを判定する。点灯していると判定した場合はＳ１７５５に進み、点灯していないと判定した場合にはＳ１７５６に進む。次に、Ｓ１７５５では第７と第８の画像データ出力部のＬＥＤ４３４〜４３５を第３の画像データ入力部のＬＥＤ４０６と同じ色に点灯する。一方、Ｓ１７５６では第７と第８の画像データ出力部のＬＥＤ４３４〜４３５を消灯する。
【０１８０】
一方、Ｓ１７５７では第４の画像データ入力部のＬＥＤ４０７が点灯しているかどうかを判定する。点灯していると判定した場合はＳ１７５８に進み、点灯していないと判定した場合にはＳ１７５９に進む。次に、Ｓ１７５８では第７と第８の画像データ出力部のＬＥＤ４３４〜４３５を第４の画像データ入力部のＬＥＤ４０７と同じ色に点灯する。一方、Ｓ１７５９では第７と第８の画像データ出力部のＬＥＤ４３４〜４３５を消灯する。
【０１８１】
ここではＬＥＤの色を用いて入力に対応して出力している端子がわかるようにしたがＬＥＤの代わりに７セグメントの数字表示にすることで対応しているところと同じ数字を表記するようにしてもよい。
【０１８２】
以上説明したように、実施形態３によれば、６Ｇ−ＳＤＩで入力されたＲＡＷ画像を３Ｇ−ＳＤＩ２本に分離して伝送する装置において、４本の入力に対してどの端子に入力するようにしても出力データに新たにフレーム情報を付加して並び替えて出力されるので、接続作業が容易となる。また、ＬＥＤの点灯により入力に対応して出力されている端子を容易に判別することが可能となる。
【０１８３】
［実施形態４］
次に、図１８を用いて、実施形態４における通信装置１８００が有する構成要素の一例を説明する。図１８において、実施形態１、２および３と同じ機能を持つブロックについては、図１、図１０および図１４と同じ番号を付与し、その説明を省略する。
【０１８４】
図１８において、操作部１８０２はユーザが操作可能である操作部であり、例えばディップスイッチである。モード制御部１８０３はディップスイッチの状態によりモードを決定する制御をする。ここでのモードは実施形態１で説明した８Ｋ現像モード、実施形態２で説明した４Ｋ現像モード、実施形態３で説明したＲＡＷ分離モードの３モードを決定する。画像経路切替制御部１８０１はモード制御部１８０３で決められたモードにより画像経路切替制御を切り替えて画像経路切替の制御をする。
【０１８５】
８Ｋ現像モードでは実施形態１で説明した画像経路切替制御、４Ｋ現像モードでは実施形態２で説明した画像経路切替制御、ＲＡＷ分離モードでは実施形態３で説明した画像経路切替制御を行う。第１のデータ制御部１８０５はモード制御部１８０３で決められたモードにより出力するデータの選択をする。８Ｋ現像モードでは８Ｋ現像データ、４Ｋ現像モードでは４Ｋ現像データ、ＲＡＷ分離モードではＲＡＷデータを選択して出力する。第２のデータ制御部１８０６、第３のデータ制御部１８０７、第４のデータ制御部１８０８も第１の制御部１８０５と同様の選択を行う。
【０１８６】
第５のデータ制御部１８０９はモード制御部１８０３で決められたモードにより出力するデータの選択をする。８Ｋ現像モードでは８Ｋ現像データ、ＲＡＷ分離モードではＲＡＷデータを選択して出力する。第６のデータ制御部１８１０、第７のデータ制御部１８１１、第８のデータ制御部１８１２も第５の制御部１８０９と同様の選択を行う。ＬＥＤ制御部１８０４はモード制御部１８０３で決められたモードによりＬＥＤの制御を切り替えて、ＬＥＤの制御を行う。８Ｋ現像モードでは実施形態１で説明したＬＥＤ制御、４Ｋ現像モードでは実施形態２で説明したＬＥＤ制御、ＲＡＷ分離モードでは実施形態３で説明したＬＥＤ制御を行う。
【０１８７】
以上説明したように、実施形態４によれば、モード設定により画像経路切替制御を容易に切り替えることが可能となる。
【０１８８】
［実施形態５］
実施形態１〜４で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態５では、パーソナルコンピュータ、マイクロコンピュータ、ＣＰＵなどを「コンピュータＸ」と呼ぶ。また、実施形態５では、コンピュータＸを制御するためのプログラムであって、実施形態１〜４で説明した様々な機能、処理及び方法を実現するためのプログラムを「プログラムＹ」と呼ぶ。
【０１８９】
実施形態１〜４で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態５におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態５におけるコンピュータ読み取り可能な記憶媒体は、ｎｏｎ−ｔｒａｎｓｉｔｏｒｙ（非一時的）な記憶媒体である。
【符号の説明】
【０１９０】
１００  通信装置
【図２】
2017022545.tif 000003
【図３】
2017022545.tif 000004
【図１】
2017022545.tif 000005
【図４】
2017022545.tif 000006
【図５】
2017022545.tif 000007
【図６】
2017022545.tif 000008
【図７】
2017022545.tif 000009
【図８】
2017022545.tif 000010
【図９】
2017022545.tif 000011
【図１０】
2017022545.tif 000012
【図１１】
2017022545.tif 000013
【図１２】
2017022545.tif 000014
【図１３】
2017022545.tif 000015
【図１４】
2017022545.tif 000016
【図１５】
2017022545.tif 000017
【図１６】
2017022545.tif 000018
【図１７】
2017022545.tif 000019
【図１８】
2017022545.tif 000020